(57)【特許請求の範囲】
【請求項１】
一端をケース（６）内に揺動自在に配置し、他端を該ケース（６）から突出しかつノブ（１４）を有するレバー（３）と、
該レバー（３）を挿通し前記ケース（６）に固定したブーツ（２２）と、を備えたレバースイッチにおいて、
前記ノブ（１４）は、該ノブ（１４）の前記ケース（６）側に開口部（１４ａ）を形成し、
前記ブーツ（２２）は、下ブーツ（２２ｂ）と該下ブーツ（２２ｂ）に合致する上ブーツ（２２ａ）で成り、前記ノブ（１４）の開口部（１４ａ）の近隣に、該開口部（１４ａ）に対向して形成した開口部（２２ｃ）を有し、
前記下ブーツ（２２ｂ）は、前記レバー（３）の基端部（３ａ）に設置した極盤（１２）に取付けた基板（２０）を覆うカバー部（２２ｆ）を一体形成したことを特徴とするレバースイッチ。
【請求項２】
前記請求項１記載の発明において、
前記下ブーツ（２２ｂ）は、前記レバー（３）に設置したスイッチに接続するハーネス（２１）を覆うことを特徴とするレバースイッチ。
【請求項３】
前記請求項１又は２記載の発明において、
前記下ブーツ（２２ｂ）を、前記極盤（１２）に固定し、
前記上ブーツ（２２ａ）を、前記極盤（１２）に係合するケース（６）に固定したことを特徴とするレバースイッチ。
【請求項４】
前記請求項１、２又は３記載の発明において、
前記ノブ（１４）は、前記ケース（６）側の一方に前記ブーツ（２２）を隣設し、他方側に回動ノブ（１５）を隣設すると共に、
該回動ノブ（１５）、前記ノブ（１４）、及び前記ブーツ（２２）は、略錐形に連続配置したことを特徴とするレバースイッチ。
【発明の詳細な説明】
【０００１】
【発明の属する技術分野】
本発明は、例えば、自動車のワイパウオッシャスイッチ等の各種レバーの先端に開口部を有するノブを設置したレバースイッチに関する。
【０００２】
【従来の技術】
従来から、この種の技術としては、例えば実開平５−６９８４０号公報に開示された車両用コンビネーションスイッチ装置の考案がある。該公報に記載された車両用コンビネーションスイッチは、操作レバーの先端に、開口部が操作者から見えるノブを設置している。また、前記操作レバーは、先端部に前記ノブを設置し、基端部を支持ユニットに揺動自在に軸支し、中央部分を露出している。該操作レバーには、ノブに設置したスイッチと、支持ユニットを電気的に接続する導線性部材を内設している。
【０００３】
また、前記公報に開示された以外の一般的な車両用コンビネーションスイッチは、ノブに設置したスイッチと、支持ユニットとをハーネスを配線して電気的に接続している。該ハーネスは、操作レバーに穿設した貫通穴を挿通して配線される。
【０００４】
【発明が解決しようとする課題】
しかしながら、前述した従来技術は、レバーや、ノブの開口部からノブ内が操作者から見えるので見栄えが悪いという問題点がある。
【０００５】
また、ノブ内に設置したスイッチの接点部と、支持ユニットとをハーネスで電気接続する従来のレバースイッチは、操作者からハーネスが見えるので見栄えが悪く、該ハーネスを操作レバーの挿通する配線作業が手作業で行われ、作業性が悪いという問題点がある。
【０００６】
本発明は、前記ノブの開口部やレバーやハーネスが見えず見栄えがよく、かつ操作部全体がスマートなレバースイッチを提供することを目的とする。
【０００７】
【課題を解決するための手段】
本発明は、前述した従来の技術の問題点を解消すべく発明したものであり、請求項１の発明は、一端をケース内に揺動自在に配置し、他端を該ケースから突出しかつノブを有するレバーと、該レバーを挿通し前記ケースに固定したブーツと、を備えたレバースイッチにおいて、前記ノブは、該ノブの前記ケース側に開口部を形成し、前記ブーツは、下ブーツと該下ブーツに合致する上ブーツで成り、前記ノブの開口部の近隣に、該開口部に対向して形成した開口部を有し、前記下ブーツは、前記レバーの基端部に設置した極盤に取付けた基板を覆うカバー部を一体形成したことで成る。
【０００８】
請求項２の発明は、前記請求項１記載の発明において、前記下ブーツは、前記レバーに設置したスイッチに接続するハーネスを覆うことで成る。
【０００９】
請求項３の発明は、前記請求項１又は２記載の発明において、前記下ブーツを、前記極盤に固定し、前記上ブーツを、前記極盤に係合するケースに固定したことで成る。
【００１０】
請求項４の発明は、前記請求項１、２又は３記載の発明において、前記ノブは、前記ケース側の一方に前記ブーツを隣設し、他方側に回動ノブを隣設すると共に、該動ノブ、前記ノブ、及び前記ブーツは、略錐形に連続配置したことで成る。
【００１２】
【発明の実施の形態】
以下、図１乃至図１３に基づき本発明の実施の形態を詳述する。
１は、例えば、自動車のコンビネーションスイッチ装置のワイパウオッシャスイッチ用の操作レバーである。以下、本発明の実施の形態における操作レバー１をワイパスイッチ用の操作部材として詳述する。尚、前記操作レバー１は、ターンシグナルスイッチ、及びディマスイッチ用の操作部材として使用してもよい。
【００１３】
前記操作レバー１は、図３に示すように手で握る部分であるノブ２と、軸棒状のレバー３とで成る。該操作レバー１は、図３に示すようにレバー３の基端部３ａ側の先端に配設し、かつ節度ばね４に付勢された節度ピン５がケース６の内壁に形成した節度溝６ｄに係合して後述する所望のポジションに支持されている。
【００１４】
該操作レバー１は、レバー３の基端部３ａの両側面に形成した横軸３ｂを中心として矢印Ａ，Ｂ方向に揺動可能に軸支されている。該操作レバー１を操作しないとき、該操作レバー１は、前記ケース６の内壁に形成した節度溝６ｄにより矢印Ｂ方向に移動したＯＦＦ状態にある。該操作レバー１を矢印Ａ方向に操作すると、操作レバー１が横軸３ｂを中心として矢印Ａ方向に揺動して、押圧部３ｃが可動接片７が固定接点８に接触してワイパウオッシャスイッチがＯＮする。
【００１５】
また、該操作レバー１は、図３に示すように可動盤９の上下面に形成した縦軸９ａ，９ｂを中心として矢印Ｃ，Ｄ方向に揺動操作可能に軸支されている。該操作レバー１は、図１に示す矢印Ｆ方向に操作した位置にあるとき、ワイパスイッチがワイパ停止位置（ＯＦＦ）のポジションにある。この位置から該操作レバー１を矢印Ｇ方向に順次操作すると、可動盤９の縦軸９ａ，９ｂを中心として矢印Ｃ方向に揺動して、該可動盤９の下面に配設した可動接片１０が各々の固定接点１１に順次に接触してワイパ間欠動作位置（ＩＮＴ）、ワイパ低速動作位置（ＬＯ）、ワイパ高速動作位置（ＨＩ）に切り替わる。
【００１６】
該操作レバー１全体を操作ノブとするワイパウオッシャスイッチは、図３に示すように操作レバー１と、可動盤９と、節度ばね４と、節度ピン５と、ケース６と、可動接片７，１０と、固定接点８，１１と、極盤１２と、で構成されたスイッチでなる。
【００１７】
前記レバー３は、図３に示すように略中央の左右に、ケース６に軸支する横軸３ｂを設置している。該レバー３は、ケース６側の基端部３ａの先端面に前記節度ばね４及び節度ピン５を挿設する盲孔３ｄを穿設している。該レバー３は、基端部３ａの下面に可動接片７を押圧する押圧部３ｃを形成している。該レバー３は、径が太くなっている段差部３ｆと、爪形状の係止部３ｇと、を形成したシャフト部３ｅを把手側に形成している。
【００１８】
該シャフト部３ｅは、図３に示すように先端をターミナルブロック１３に穿設した盲孔状の開口部１３ａに嵌挿し、前記段差部３ｆを該開口部１３ａの開口端面に当接し、かつ前記係止部３ｇを弾性係止片１３ｂに係止させることで、ワンタッチでターミナルブロック１３を取り付けることができる。該レバー３のシャフト部３ｅには、図５に示すターミナルブロック１３、固定ノブ１４、回動ノブ１５、キャップ１６、基板１７、接点板１８が配置されている。
【００１９】
前記レバー３は、基端部３ａを可動盤９に挿入して横軸３ｂで軸支して、基端部３ａが該可動盤９内を上下方向に揺動して、ワイパウオッシャ操作できるように組付けてある。可動盤９は、下面に形成した縦軸９ａを極盤１２に穿設した軸穴１２ａに回動自在に軸合し、上面に形成した縦軸９ｂをケース６の軸穴６ａに回動自在に軸合している。このように、レバー３の基端部３ａは、ケース６と、該ケース６に嵌着した極盤１２との間に配置される。
【００２０】
前記極盤１２は、図３に示すように前記固定接点８，１１に導通する導電性金属板で成る複数の端子１９を基板２０に半田付けし、また複数の端子１９を図２に示すようにコネクタ１２ｃ内に突出している。一端を前記基板２０に設置した端子１９の一部の端子１９ａは、前記極盤１２の操作レバー１側の側面に設置した雄端子１９ｂを他端に形成している。該雄端子１９ｂは、ターミナルブロック１３の導電体１３ｃの雄端子部１３ｄに接続したハーネス２１の雌端子２１ａに接続している。
【００２１】
前記ハーネス２１は、一端に前記雌端子２１ａ、他端に前記雄端子部１３ｄに接続した雌端子２１ｂを有する。該ハーネス２１は、図３に示すようにレバー３の下方に配線すると共にブーツ２２に覆われて、外部からはほとんど見えないようになっている。
【００２２】
尚、雌端子２１ａ、雌端子２１ｂ、雄端子部１３ｄ、及び雄端子１９ｂは、電気的に接続するものであればよく、その種類及び形状は特に限定しない。雌端子２１ａは、例えば図５に示すようなコネクタであってもよい。
【００２３】
前記ブーツ２２は、ケース６から突出したレバー３の上側を覆う上ブーツ２２ａと、該上ブーツ２２ａに合致して筒体を形成する下ブーツ２２ｂとで成る。該ブーツ２２は、上ブーツ２２ａと、下ブーツ２２ｂとが合致することで、開口部２２ｃを形成する。該開口部２２ｃは、図３に示すように固定ノブ１４の開口部１４ａに略一致する大きさで、該開口部１４ａに対向し、かつ近隣に配置している。
【００２４】
前記上ブーツ２２ａは、図１に示すようにケース６に形成した爪で成る係止部６ｂに係合する穴で成る係合部２２ｄを形成している。該上ブーツ２２ａは、下ブーツ２２ｂに合致させ、係合部２２ｄを係止部６ｂに係合することでケース６に固定される。
【００２５】
前記上ブーツ２２ａは、図３に示すように基板２０の下側を覆うカバー部２２ｆを一体に形成して成る。該下ブーツ２２ｂは、図２に示すように前記カバー部２２ｆの周囲に形成した係止部２２ｅを極盤１２に係止すると共に、ネジ２３で極盤１２に固定される。
【００２６】
前記ターミナルブロック１３は、図５に示すように鍔部１３ｆから突出した雄端子部１３ｄと、段差面１３ｈから突出した雄端子部１３ｅと、を一体形成した導電体１３ｃをインサート成形している。該導電体１３ｃは、例えば２本でなり、一端の雄端子部１３ｄを雌端子２１ｂに接続し、他端側の雄端子部１３ｅを接点板１８を介して基板１７に接続している。該ターミナルブロック１３は、極盤１２と基板１７とを電気的に接続するための中継部材の役目を備えている。
【００２７】
該ターミナルブロック１３は、ケース６側の開口部１３ａには前述したようにレバー３の先端部を嵌着し、中央には図６に示ように係止溝１３ｉを形成して、該係止溝１３ｉを図７に示す固定ノブ１４の係止片１４ｂに係合させることで該固定ノブ１４を固定すると共に、軸部１３ｇの麓にインシュレータ２４を嵌着し、先端部側には輪形溝１３ｊを形成して、該輪形溝１３ｊに係止片１５ａを係合させることで、回動ノブ１５を回動自在に軸支している。このように、該ターミナルブロック１３は、固定ノブ１４及びインシュレータ２４を軸止し、回動ノブ１５を回動自在に軸支する軸棒の機能も兼備している。
【００２８】
前記固定ノブ１４は、図５に示すように前記開口部１４ａ内に、ターミナルブロック１３の鍔部１３ｆ、弾性係止片１３ｂ、及び雄端子部１３ｄを配置する空間Ｅを有する。該空間Ｅは、開口部１４ａに対向して設置されているブーツ２２により、操作者から見えなくなっている。該固定ノブ１４は、図３に示すように一方のケース６側には近隣にはブーツ２２を設置し、他方の先端側には回動ノブ１５を連続して配置しているので、操作レバー１全体が略円錐形状になっている。
【００２９】
該固定ノブ１４の回動ノブ１５側の面には、図５、図７、及び図８に示すように節度ばね２５及び節度体２６を挿設する盲孔１４ｃと、該盲孔１４ｃの同心円上に形成し節度溝を有する節度片１５ｂが遊挿される円弧状溝１４ｍと、インシュレータ２４が嵌合し前記段差面１３ｈと面一の段差面１４ｎと、該段差面１４ｎに嵌合したインシュレータ２４を固定する脱落防止片１４ｐと、前記インシュレータ２４の回転を阻止する凸部１４ｑと、回動ノブ１５の衝当部１５ｃが衝当することで該回動ノブ１５の回動可能範囲を規制するストッパ１４ｒと、が形成されている。
【００３０】
該固定ノブ１４の軸心部には、ターミナルブロック１３の中径部１３ｋが回動自在に挿入される貫通穴１４ｄを穿設し、該貫通穴１４ｄの回動ノブ１５側には前述した段差面１４ｎを連設している。
【００３１】
前記インシュレータ２４は、図５に示すように前記雄端子部１３ｅを貫通孔２４ａに挿入し、ターミナルブロック１３の軸部１３ｇに嵌合することで、該ターミナルブロック１３に固定され、かつ固定ノブ１４の貫通穴１４ｄ内に配置される。該インシュレータ２４は、図５及び図１１に示すように基板１７の可動接点１７ａに接触する接点板１８を装着した厚みのある略円盤状のものでなる。該インシュレータ２４は、前記貫通孔２４ａに連続して、図１２及び図１３に示す接点板１８の端子部１８ａを装着する穴形状のカプラ２４ｂを形成している。
【００３２】
前記接点板１８は、導線性金属板ばね部材で形成した固定接点部材である。該接点板１８は、中央部には前記インシュレータ２４に形成した突起２４ｃが圧嵌する係止穴１８ｃを形成し、一端側には固定接点と成る例えば２枚の弾性接点１８ｂを形成し、他端側には前記端子部１８ａを形成している。
【００３３】
前記端子部１８ａは、接点板１８を雌端子形状にプレス加工して成り、内側に向けて雄端子部１３ｅに圧接する圧接部１８ｄ、外側に向けてカプラ２４ｂに隣設した係止部２４ｄに係止する脱落防止舌片１８ｅを形成している。
【００３４】
前記インシュレータ２４の対向位置には、例えばワイパスイッチ装置の間欠ワイパボリュムを構成する抵抗等で成る可動接点１７ａを有する基板１７を配置している。該基板１７は、回動ノブ１５の開口部１５ｄ内に形成した段差部１５ｆに嵌合し、前記開口部１５ｄ内から突出形成した爪形状の係止部１５ｅで脱落を防止される。また該基板１７は、回動ノブ１５の内壁に形成したガタ付き防止凸部１５ｇが当接することで緩みなく回動ノブ１５内に嵌合されている。
【００３５】
該回動ノブ１５は、図１に示すようにワイパスイッチ装置の間欠ワイパボリュムの操作ノブであり、略筒状をしている。該回動ノブ１５は、操作レバー１をワイパ間欠動作位置（ＩＮＴ）に操作したときに該回動ノブ１５を回動操作することで、ワイパの間欠作動間隔を調整することができる。
【００３６】
該回動ノブ１５は、固定ノブ１４側の開口部１５ｄを該固定ノブ１４に回動自在に嵌合し、先端側の開口部１５ｈをキャップ１６で閉塞している。該キャップ１６は、前記開口部１５ｈに嵌合すると共に、図９に示す回動ノブ１５の弾性係止片１５ｉの爪を筒部１６ａに穿設した穴（図示せず）に嵌合させることで、回動ノブ１５に固定されて共に回転する。
【００３７】
本発明は、以上のような構成であり、次に添付図面に基づき組付け手順と共に配線及び操作等を詳述する。
まずレバー３の先端をターミナルブロック１３の開口部１３ａに挿入する。該レバー３は、係止部３ｇが弾性係止片１３ｂに係止することでターミナルブロック１３に固定される。インシュレータ２４に接点板１８を押し込んで固定し、該インシュレータ２４を軸部１３ｇの奥まで挿入して、前記接点板１８の端子部１８ａと雄端子部１３ｅを接続する。するとインシュレータ２４は、係止片１４ｂにより固定ノブ１４内に固定される。
【００３８】
回動ノブ１５の開口部１５ｄに基板１７を押し込んで係止部１５ｅで該基板１７を回動ノブ１５に固定する。該回動ノブ１５を軸部１３ｇに挿入して、輪形溝１３ｊに係止片１５ａを係合させて、回動ノブ１５を軸部１３ｇに回動自在に軸支する。回動ノブ１５の開口部１５ｈにキャップ１６を装着する。
【００３９】
レバー３を可動盤９に挿入して横軸３ｂを可動盤９に軸支する。ハーネス２１の一端の雌端子２１ｂを、ターミナルブロック１３の雄端子部１３ｄに接続し、他端の雌端子２１ａを雄端子１９ｂに接続する。レバー３の盲孔３ｄに節度ばね４及び節度ピン５を挿入すると共に、前記可動盤９の下側の縦軸９ａを極盤１２の軸穴１２ａに軸装し、上側の縦軸９ｂをケース６の軸穴６ａに軸装して、極盤１２にケース６を係合させる。
【００４０】
次に下ブーツ２２ｂを極盤１２に取り付けて、ハーネス２１と基板２０を覆う。これにより２１と基板２０が外から見えなくなると共に、外力が付加されることを防止できる。該下ブーツ２２ｂの切欠部２２ｇに、上ブーツ２２ａを合致させてブーツ２２を形成すると共に、係合部２２ｄに係止部６ｂを係合させて上ブーツ２２ａをケース６に固定する。
【００４１】
これによりケース６から突出したレバー３の根元の部分を隠して見えなくすることができる。また、ブーツ２２と固定ノブ１４は、隣接して設置したので、互いに向き合った固定ノブ１４の開口部１４ａとブーツ２２の開口部２２ｃ、該開口部１４ａ，２２ｃに内設したレバー３及びハーネス２１が操作者からほとんど見えず、美観がある。操作レバー１とブーツ２２は、図１に示すように略円錐形の状態に配置されるので、見栄えのよいコンビネーションスイッチを提供することができる。前記ケース６は、コンビネーションスイッチのベースの凹陥に装着することで、着脱片６ｃが係止してワンタッチで装着される。
【００４２】
以上でコンビネーションスイッチの組付けが完了する。
また、レバー３のシャフト部３ｅに設置した全部の部品、すなわちターミナルブロック１３、ハーネス２１、固定ノブ１４、インシュレータ２４、接点板１８、基板１７、回動ノブ１５、及びキャップ１６は、該シャフト部３ｅの軸心線方向に押し込むだけで、容易に組付けることができる。
【００４３】
また、ケース６や極盤１２に挿設するレバー３、節度ばね４、節度ピン５及び雌端子２１ａは、横方向から装着するので、組付け作業が容易である。また、該ケース６や極盤１２内の他の各部材は、上下方向に挿入して組付けられる。またスイッチ全体の各部材は、各係止片や爪による係止手段で組付けられる。これにより、スイッチ全体を機械で自動組付けすることができる。
【００４４】
ターミナルブロック１３は、導電体１３ｃをインサート成形して雄端子部１３ｅを接点板１８に嵌合すると共に、雄端子部１３ｄをハーネス２１の雌端子２１ｂに嵌合し、かつ該ハーネス２１の雌端子２１ａを雄端子１９ｂに嵌合することで電気的に接続しているので、配線作業の作業性がよく、半田付け作業が不要である。
【００４５】
前記操作レバー１は、ワイパスイッチがワイパ停止位置（ＯＦＦ）のポジションにあるとき、矢印Ｆ方向に操作した位置にある。このワイパ停止位置（ＯＦＦ）から該操作レバー１を矢印Ｇ方向に順次操作すると、該操作レバー１及び可動盤９が縦軸９ａ，９ｂを中心として矢印Ｃ方向に揺動して、該可動盤９の下面に配設した可動接片１０が各々の固定接点１１に接触して順次にワイパ間欠動作位置（ＩＮＴ）、ワイパ低速動作位置（ＬＯ）、ワイパ高速動作位置（ＨＩ）に切り替わる。
【００４６】
前記操作レバー１がワイパ間欠動作位置（ＩＮＴ）にあるとき、回動ノブ１５のワイパボリュームを回動操作すると、該回動ノブ１５はシャフト部３ｅを中心として回転し、抵抗体で成る可動接点１７ａが接点板１８に接触してワイパ間欠動作の動作間隔を調整できる。回動ノブ１５の回動操作できる回動範囲は、該回動ノブ１５を矢印Ｈ，Ｉ方向に回動操作したときに衝当部１５ｃが固定ノブ１４のストッパ１４ｒに衝当する位置までである。
【００４７】
前記操作レバー１は、該操作レバー１から手を離しているとき、ワイパウオッシャスイッチがＯＦＦのポジションにある。該操作レバー１を矢印Ａ方向に引き上げ操作すると、レバー３の押圧部３ｃが可動接片７を圧し下げ固定接点８に接触して、ワイパウオッシャスイッチがＯＮして、フロントガラスにウオッシャ液が噴射されると共にワイパが往復作動する。
【００４８】
該操作レバー１から手を離すと、節度ばね４に付勢された節度ピン５が節度溝６ｄの傾斜面を摺動して、該操作レバー１が元のＯＦＦ位置に復帰する。ワイパウオッシャ用可動接片７は、板ばねで成るので、レバー３と共に元のＯＦＦ状態に復帰してＯＦＦする。
【００４９】
【発明の効果】
本発明は、以上説明したように構成したので、次のような効果がある。請求項１の発明は、一端をケース内に揺動自在に配置し、他端を該ケースから突出しかつノブを有するレバーと、該レバーを挿通し前記ケースに固定したブーツと、を備えたレバースイッチにおいて、前記ノブは、該ノブの前記ケース側に開口部を形成し、前記ブーツは、下ブーツと該下ブーツに合致する上ブーツで成り、前記ノブの開口部の近隣に、該開口部に対向して形成した開口部を有し、前記下ブーツは、前記レバーの基端部に設置した極盤に取付けた基板を覆うカバー部を一体形成したことで、ノブ及びブーツの互いの開口部が操作者に見えないので、見栄えがよいレバースイッチを提供することができる。また、部品点数を増やすことなく該カバー部で、基板に設置した端子や電気部品や電子素子やそれらの半田付け部分を覆って保護することができる。
【００５０】
請求項２の発明は、前記請求項１記載の発明において、前記ブーツが、前記レバーに設置したスイッチに接続するハーネスを覆う下ブーツと、該下ブーツに合致する上ブーツと、で成ることで、ケースにレバー等の各部材を組みつけた後に下ブーツと上ブーツを組付けることができるので、組付け易く、また前記ブーツでハーネスを隠蔽することができる。
【００５２】
請求項３の発明は、前記請求項１又は２記載の発明において、前記下ブーツを、前記極盤に固定し、前記上ブーツを、前記極盤に係合するケースに固定したことで、上・下ブーツを容易にケースや極盤に固定することができる。
【００５３】
請求項４の発明は、前記請求項１、２又は３記載の発明において、前記ノブが、前記ケース側の一方に前記ブーツを隣設し、他方側に回動ノブを隣設すると共に、該回動ノブ、前記ノブ、及び前記ブーツを、略錐形に連続配置したことで、ブーツ内にハーネスやレバーを隠蔽することができると共に、操作レバー全体がスマートな略錐形にすることができる。
【図面の簡単な説明】
【図１】本発明の実施の形態を示す図面であり、平面図である。
【図２】本発明の実施の形態を示す図面であり、ブーツを備えた極盤の平面図である。
【図３】本発明の実施の形態を示す図面であり、一部断面を有する正面図である。
【図４】本発明の実施の形態を示す図面であり、ノブの拡大平面図である。
【図５】図４の矢視Ｘ−Ｘ線方向断面図である。
【図６】本発明の実施の形態を示す図面であり、ターミナルブロックの拡大縦断面図である。
【図７】本発明の実施の形態を示す図面であり、固定ノブの拡大縦断面図である。
【図８】本発明の実施の形態を示す図面であり、固定ノブの拡大側面図である。
【図９】本発明の実施の形態を示す図面であり、回動ノブの拡大縦断面図である。
【図１０】本発明の実施の形態を示す図面であり、回動ノブの拡大側面図である。
【図１１】本発明の実施の形態を示す図面であり、インシュレータの拡大側面図である。
【図１２】本発明の実施の形態を示す図面であり、接点板の拡大正面図である。
【図１３】本発明の実施の形態を示す図面であり、接点板の拡大側面図である。
【符号の説明】
１  操作レバー
３  レバー
３ａ  基端部
６  ケース
１２  極盤
１４  固定ノブ
１４ａ，２２ｃ  開口部
１５  回動ノブ
２０  基板
２１  ハーネス
２２  ブーツ
２２ａ  上ブーツ
２２ｂ  下ブーツ
２２ｆ  カバー部
【図１】
0004318354.tif 000002
【図２】
0004318354.tif 000003
【図３】
0004318354.tif 000004
【図４】
0004318354.tif 000005
【図５】
0004318354.tif 000006
【図６】
0004318354.tif 000007
【図７】
0004318354.tif 000008
【図８】
0004318354.tif 000009
【図９】
0004318354.tif 000010
【図１０】
0004318354.tif 000011
【図１１】
0004318354.tif 000012
【図１２】
0004318354.tif 000013
【図１３】
0004318354.tif 000014